(57)【特許請求の範囲】
【請求項１】
印刷機においてクリーニング溶剤又はその他の溶剤を提供するための装置において、
噴霧装置が設けられており、該噴霧装置が、印刷機構成部材に液体を供給するために前記噴霧装置の幅に沿って配置された液体出口を有しており、噴霧装置が軸を有しており、
スプレーシールドが設けられており、該スプレーシールドが、液体出口の一部を選択的に被覆し、これにより、前記一部を介する印刷機構成部材への液体の供給を妨害するようになっており、
前記スプレーシールドが、噴霧装置を包囲しておりかつ噴霧装置に対して回転可能な胴であり、該胴が、可変な軸方向の幅を有する少なくとも１つの開口を有しており、前記胴が、液体出口からの液体が第１の幅で少なくとも１つの開口を通過するような第１の回転位置と、液体が第１の幅とは異なる第２の幅で少なくとも１つの開口を通過するような、第１の回転位置とは異なる第２の回転位置とを有しており、
胴を第１の回転位置又は第２の回転位置においてロックする設定装置が設けられていることを特徴とする、印刷機においてクリーニング溶剤又はその他の溶剤を提供するための装置。
【請求項２】
前記一部が、液体出口の一方又は両方の端部に位置しており、これにより、液体供給の幅を設定することができるようになっている、請求項１記載の装置。
【請求項３】
前記噴霧装置が、スプレーバーであり、該スプレーバーが、少なくとも前記印刷機構成部材と同じ幅である、請求項１記載の装置。
【請求項４】
前記印刷機構成部材が、オフセット平版印刷機のブランケットクリーニングブラシ又はブランケットである、請求項１記載の装置。
【請求項５】
前記液体出口が、複数の孔であり、前記一部が、噴霧装置の一方又は両方の端部に配置された孔のうちの少なくとも１つである、請求項１記載の装置。
【請求項６】
種々異なる幅の噴霧を可能にするためにスプレーシールドを設定するための自動設定装置が設けられている、請求項１記載の装置。
【請求項７】
前記少なくとも１つの開口が、少なくとも１つの傾斜した縁部を有する単一の開口である、請求項６記載の装置。
【請求項８】
前記少なくとも１つの開口が、第１の幅を有する第１の開口と、第２の幅を有する第２の開口と含み、第１の開口と第２の開口とが胴の周囲に沿って円周方向に互いに離間されている、請求項１記載の装置。
【請求項９】
ウェブ幅を検出するためのセンサが設けられており、該センサが、前記自動設定装置にフィードバックを提供するようになっている、請求項６記載の装置。
【請求項１０】
妨害された液体をスプレーシールドから収集するための収集装置が設けられている、請求項１記載の装置。
【請求項１１】
前記噴霧装置が、装置内で定置である、請求項１記載の装置。
【請求項１２】
前記スプレーシールドが手動で設定可能である、請求項１記載の装置。
【請求項１３】
印刷機においてクリーニング溶剤又はその他の溶剤を提供するための装置において、
噴霧装置が設けられており、該噴霧装置が、印刷機構成部材に液体を供給するために前記噴霧装置の幅に沿って配置された液体出口を有しており、
スプレーシールドが設けられており、該スプレーシールドが、液体出口の一部を選択的に被覆し、これにより、前記一部を介する印刷機構成部材への液体の供給を妨害し、スプレーシールドが２つの胴を有しており、それぞれの胴が、可変の軸方向の幅を有する１つの開口を有していることを特徴とする、印刷機においてクリーニング溶剤又はその他の溶剤を提供するための装置。
【請求項１４】
前記２つの胴が、噴霧装置の端部に設けられておりかつ、噴霧装置の非妨害部分によって分離されている、請求項１３記載の装置。
【発明の詳細な説明】
【０００１】
【発明の属する技術分野】
本発明は、概して印刷機、特に印刷機の胴に液体を提供するための装置及び方法に関する。
【０００２】
【従来の技術】
オフセット平版印刷機は、例えば刷版から紙等の材料のウェブに印像を転写するためのブランケット胴を有している。ブランケット胴上のブランケットは、通常、ゴム外部印刷層を有している。
【０００３】
特に連続した使用の後、印刷機におけるブランケットは、乾燥したインキ、毛羽、埃、土、泥及び同様のもの等の異物を堆積させ、この異物はクリーニングによって周期的に除去されるべきである。印刷仕事を変更する場合、ブランケットがクリーニングされることが望ましい。適切なクリーニングが行われないと、印刷品質が低下し、印刷機の生産性が低下する。
【０００４】
米国特許第５２５７５７８号明細書は、ウェブオフセット平版印刷機におけるブランケットをクリーニングするための自動クリーニング装置を開示している。ブランケットから異物を除去するために、ブラシローラが選択的にブランケットに提供される。ブランケットのクリーニングを向上させるために、ブランケット洗浄溶剤がブラシローラに提供される。米国特許第５２５７５７８号は、引用によりここに組み込まれる。
【０００５】
このような装置のためのブランケット洗浄溶剤は、通常スプレーバーによって提供され、スプレーバーは、ブラシの全幅に沿った一列の孔を介してクリーニング溶剤又は溶液を噴霧する。したがって、ブランケットがクリーニングされる場合、スプレーバークリーニング溶剤は、ブラシを介してブランケット全体に提供される。印刷機におけるウェブがブランケットと同じ幅であるならば、ブランケットの全幅のクリーニングが望ましい。
【０００６】
しかしながら、オフセット印刷機を用いてより狭いウェブ幅を印刷することがしばしば望ましい。例えば印刷機が５７インチのウェブ幅を印刷することができても、所望の被印刷製品のタイプに応じて、僅か３０インチ幅のウェブを印刷するための同じ印刷機を使用することが望ましい場合がある。この場合、スプレーバーブランケット洗浄システムは、依然として５７インチのブラシ及びブランケット胴の幅に亘ってクリーニング溶剤を噴霧する。多くのクリーニングシステムは、洗浄中に屑を除去するためにウェブに依存するので、狭幅な３０インチのウェブは、ウェブ幅を超えた領域から屑及び使用済みクリーニング溶剤を容易に除去できない。さらに、ウェブ幅を超えた領域においては、クリーニング溶剤は依然として提供され、ウェブによって除去されない。すなわち、２７インチ幅のブランケット胴区分は、ウェブがその領域に無いのも拘わらず、依然としてクリーニング溶剤を受け取る。
【０００７】
溶剤は廃棄物として排出されて再利用されないため、ウェブ幅を超えたクリーニング溶剤の提供は、クリーニング溶剤又は溶液の過剰な廃棄を生ぜしめる。環境上敏感な材料であってよい溶剤の廃棄は、高価となるおそれがある。
【０００８】
さらに、印刷ラン中に過剰な溶剤が狭幅なウェブに進入し、ウェブ上のインキを崩し、印刷品質を低下させる。この低下は損紙を生ぜしめるおそれがある。なぜならば、形成された印刷製品がしばしば洗い流された外観を有したり、解読不能であったりし、廃棄されねばならないからである。
【０００９】
欧州特許出願公開第０６１８０７４号明細書は、版胴に対して軸方向に可動な２つのエミッタを有する、流体を噴霧するための印刷機噴霧装置を開示することを主張する。流体はブランケットをクリーニングするために使用することができ、エミッタは、印刷される材料の幅に応じてブランケットの所望の幅の全幅又は一部に亘って軸方向に移動されるように自動的に制御することができる。
【００１０】
前記欧州特許出願公開第０６１８０７４号の装置は、所望のブランケット幅が一度で噴霧されず、エミッタが軸方向に移動しながら部分ごとに噴霧されるので、所望の幅をコーティングするためにより多くの時間を必要とする。さらに、エミッタの移動及び制御は、複雑な配列を必要とし、このことは故障又は付着物を生じやすくなるおそれがある。
【００１１】
【発明が解決しようとする課題】
本発明の目的は、印刷機の胴又はその他の部分にクリーニング又はその他の溶剤を提供するための、信頼性の高い、効率的な装置及び方法を提供することである。
【００１２】
【課題を解決するための手段】
本発明は、印刷機においてクリーニング又はその他の溶剤を提供するための装置において、噴霧装置が設けられており、この噴霧装置が、印刷機構成部材に液体を供給するために噴霧装置の幅に沿って配置された液体出口を有しており、スプレーシールドが設けられており、このスプレーシールドが、液体出口の少なくとも一部を選択的に被覆し、これにより、この一部を介する印刷機構成部材への液体の提供を妨害するようになっている装置を提供する。
【００１３】
【発明の効果】
本発明により、例えばウェブ幅に対応する可変幅に亘って、液体出口を介して印刷機構成部材にクリーニング溶剤等の液体を即座に提供することができる。
【００１４】
有利には、噴霧装置はスプレーバーであり、スプレーバーは、少なくとも印刷機構成部材と同じ幅である。
【００１５】
印刷機構成部材は有利には、オフセット平版印刷機のブランケットクリーニングブラシ又はブランケットである。
【００１６】
有利には、液体出口は複数の孔であり、少なくとも一部が、スプレーバーの一方又は両方の端部に配置された孔のうちの少なくとも１つである。
【００１７】
スプレーシールドは有利には、噴霧装置に対して回転可能な少なくとも１つの胴であり、この胴は、可変幅を有する少なくとも１つの開口を有している。
【００１８】
第１の実施例では、スプレーシールドは、２つの回転可能な胴を含んでおり、それぞれスプレーバーの一方の端部に設けられている。各胴は、有効スプレー領域を狭めるように液体出口の一部を選択的に被覆するために、傾斜した側部を備えた開口を有している。スプレーバーの中央は、胴によって影響されないままであってよい。択一的に、狭幅なウェブが、中央ではなく、印刷機の側部において走行するならば、スプレーシールドは、一方の側に、傾斜した開口を備えた単一の胴であってよい。
【００１９】
択一的な実施例では、スプレーシールドは、傾斜した端部を有する単一の開口、又は種々異なる幅の複数の開口、を備えた単一の胴を有していてよい。
【００２０】
噴霧装置は定置であり、胴はスプレーバーの周囲を回転すると有利である。有利には、回転は手動で行われる。しかしながら、回転は、エアシリンダによって行われてよい。エアシリンダは、一方の端部においてスプレーバーに、他方の端部においてフォロアに固定されており、フォロアは、スプレーシールドの内部に設けられたらせん形スロットに嵌合している。これにより、エアシリンダの動作はスプレーシールドを回転させる。最も有利には、２つのエアシリンダが設けられ、一方のエアシリンダが他方のエアシリンダの２倍の行程長さを有し、これにより４つの等しく間隔を置いた位置を得ることができる。
【００２１】
有利には、収集装置は、妨害された液体をスプレーシールドから収集し、クリーニング流体リザーバへ戻す。
【００２２】
本発明は、版胴と、版胴上の刷版に接触するためのブランケットと、ブランケットクリーニング装置とを備えたオフセット平版印刷ユニットをも提供する。ブランケットクリーニング装置は、噴霧装置を有しており、この噴霧装置は、液体を直接又は間接的にブランケットに提供するための、噴霧装置の幅に沿って配置された液体出口を備えている。さらに、ブランケットクリーニング装置は、スプレーシールドを有しており、このスプレーシールドは、液体出口の少なくとも一部を選択的に被覆し、これにより、少なくとも一部を介するブランケットへの液体の提供を妨害する。
【００２３】
また、印刷機構成部材にクリーニング又はその他の流体を提供する方法において、印刷機構成部材の一定幅に亘って流体を噴霧し、一定幅の一部に亘って流体の一部を妨害し、これにより流体の一部が印刷機構成部材に到達しないようにする方法をも提供する。
【００２４】
【発明の実施の形態】
図１は、オフセット平版印刷ユニット３において使用される本発明の有利な実施例を示している。ウェブ１は、ブランケット胴１０，２０を通過し、ブランケット胴は、このブランケット胴に固定された平坦な又は管状のブランケットを有していてよい。ブランケットはそれぞれ版胴１２及び２２上の刷版によって接触される。各版胴は湿しユニット１４，２４を用いて湿らされる。
【００２５】
印刷運転時、インキ及び湿し水が版胴１２に供給され、これにより、版胴１２からの印像は、ブランケット胴１０上のブランケットへ、次いでウェブ１へ転移される。
【００２６】
ブランケット胴上のブランケットをクリーニングする必要がある場合、クリーニング装置１６及び２６が個々のブランケット胴１０，２０との係合位置へ移動させられる。係合位置において、それぞれブランケット胴１０，２０の幅に亘って延びたブラシ１９，２９が、ブランケットと係合させられる。ブラシ１９，２９は、ブランケットをクリーニングするためにクリーニング運転時に回転することができる。
【００２７】
クリーニング運転時に、スプレーバー１７，２７はソルベント等のクリーニング溶剤をブラシに噴霧することができ、これにより、ブラシはクリーニング溶剤によって濡らされる。クリーニング溶剤は、ブランケット上の堆積インキ及びその他の異物の除去を助ける。クリーニング溶剤は水であってよい。
【００２８】
スプレーバー１７，２７は、それぞれスプレーシールド１８，２８に設けられた開口を介して液体を噴霧する。ウェブ１の幅に応じて、スプレーシールド１８，２８は、スプレーバー１７，２７からの噴霧が、ウェブ１幅に対応する開口幅を通過するように設定される。光センサ７０はウェブ幅を検出し、スプレーシールド１８，２８の自動設定装置にフィードバックを提供することができる。
【００２９】
スプレーシールド１８，２８によって妨害されたあらゆる過剰なクリーニング溶剤は、円筒状のシールドの底部に集まり、収集装置１５，２５によって収集されてよく、収集装置１５，２５は、クリーニング流体を供給リザーバへ戻してよい。スプレーシールド１８，２８は、妨害されたクリーニング流体の収集を助けるために、僅かに傾斜させられているか、傾斜した排流装置を有していてよい。
【００３０】
図２に示したように、有利な実施例では、スプレーシールド１８は２つの胴３１８，４１８を含む。各胴はスプレーバー１７の端部を包囲しており、スプレーバー１７は、出口として、スプレーバー１７の幅に沿って均一に間隔を置かれた複数の孔６０を有していると有利である。包囲されていない部分１１７、有利にはスプレーバー１７の幅の約３分の１が、胴３１８，４１８の間に残っていてよい。胴３１８は、傾斜した縁部３５１を備えた開口３５０を有しており、胴４１８は、傾斜した縁部４５１を備えた開口４５０を有している。縁部３５１及び４５１は、スプレーバー１７の軸線に対して傾斜している。
【００３１】
胴３１８及び４１８は、スプレーバー１７を中心に回転可能であり、例えば軸受によってスプレーバー１７を中心に支持されていてよい。スプレーバー１７の一端における孔６２からの噴霧が、印刷機のブラシ又はブランケットに到達しないように胴３１８によって妨害されるように、手動設定装置７０は胴３１８を回転させることができる。胴３１８の所望の回転後、設定装置７０は、例えばねじ締結装置を使用して所定の位置にロックすることができる。胴３１８の回転に応じて、傾斜した縁部３５１は、スプレー幅を変化させるために、より多くの又はより少ない孔６０の噴霧を妨害することができる。胴４１８は、胴３１８と一緒に回転するように、孔６０を妨害しないロッドを介して結合されることができる。択一的に、胴４１８は、自己の設定装置を有することができる。
【００３２】
ウェブ１は従来、幅に拘わらずブランケット胴１０，２０の中央を走行する。しかしながら、択一的な実施例では、胴４１８は設けられておらず、ウェブ１は、胴４１８が設けられるべき場所に相当する、印刷機及びブランケット胴１０，２０の側部を走行する。したがって、単一の胴３１８が、ブランケット胴１０，２０に到達する噴霧の幅を設定することができる。
【００３３】
図３は、本発明による択一的な実施例を示しており、それぞれ異なる幅を有する複数の開口５１，５２，５３を有するスプレーシールド１１８が設けられている。有利には、それぞれの幅は、一般的なウェブ幅に相当する。シールド１１８は、矢印４８によって示したようにスプレーバー１７に対して回転させることができ、スプレーバー１７の孔６０が所望の開口５１，５２，５３を介して液体を噴霧するように設定することができる。孔６０は、スプレーバー１７の全幅に亘って延びており、線形に配置されていると有利である。
【００３４】
図４は、傾斜した縁部５５，５６を備えた開口５４を有するスプレーシールド２１８の別の択一的な実施例を示している。スプレーバー１７に対するシールド２１８の回転角度に応じて、スプレーが開口５４を出る場合にスプレーが縁部５５，５６によって妨害される。
【００３５】
シールド１８，１１８，２１８の回転は、手動又は自動回転装置を介して行うことができ、そのうちの１つの実施例が図５に示されている。
【００３６】
図５においては、エアシリンダ３１のための支持体３０がスプレーバー１７（又は別の定置の部分）に固定されており、フォロア３２が他方の端部に取り付けられている。フォロア３２は、シールド１８の内部に設けられたらせん形スロット４０内に嵌合している。エアシリンダ３１は２つの位置の間を移動することができ、エアシリンダ３１が図５に示した位置から方向５１へ引っ込むと、スロット内のフォロア３２の作用が、シールド１８を方向５２へ第２の位置にまで回転させる。有利には、２つのエアシリンダが連続して接続されており、これにより、シールド１８の４つの位置が得られてよい。
【００３７】
しかしながら、シールド１８を、手動で移動させ、例えばねじ締結機構を使用して設定することもできる。シールド１８，１１８，２１８は、連続的に可動であるか、例えばボールもどり止機構によって決定される有利な回転位置を有することができる。他のタイプの自動設定装置、例えば、シールド１８の一端においてモータに接続された単純なギヤを設けることもできる。
【００３８】
さらに、シールドは、シールドの開口の幅を変化させるための摺動可能なスラット、又はその他の可動なスプレー妨害機構を有することができる。
【００３９】
スプレーバーに設けられた液体用出口は複数の孔として示されているが、単一の狭幅なスリットを出口として設けることもできる。
【００４０】
シールド１８，１１８，２１８は、図面を見やすくするために、所望の場合よりも、スプレーバー１７から大きな距離に示されている。スプレーシールド１８，１１８，２１８とスプレーシールドとの間の間隔は、１インチよりも小さいと有利であり、０．５インチよりも小さいと有利である。しかしながら、スプレーバー出口の妨害されない部分を出る噴霧の圧力が著しく増大しないように、少なくともある程度の間隔が望ましい（しかし必要ではない）。このような圧力増大は、ブランケットに提供したい量よりも多くの噴霧を生ぜしめるおそれがある。
【図面の簡単な説明】
【図１】本発明によるブランケットクリーニング装置を有する平版オフセット印刷ユニットを示す側面図である。
【図２】本発明による装置の第１実施例を示す図である。
【図３】本発明による装置の第２実施例を示す図である。
【図４】本発明による装置の第３実施例を示す図である。
【図５】本発明による装置のための自動作動装置の詳細を示す図である。
【符号の説明】
１  ウェブ、  ３  オフセット平版印刷ユニット、  １０，２０  ブランケット胴、  １２，２２  版胴、  １４，２４  湿しユニット、  １５，２５  収集装置、  １６，２６  クリーニング装置、  １７，２７  スプレーバー、  １８，２８，１１８，２１８  スプレーシールド、  １９，２９  ブラシ、  ３１  エアシリンダ、  ３２  フォロア、  ５１，５２，５３，５４  開口、  ５５，５６  傾斜した縁部、  ６０，６２  孔、  ７０  光センサ、  ２１８  スプレーシールド、  ３１８，４１８  胴、  ３５１  傾斜した縁部
【図１】
0004291969.tif 000002
【図２】
0004291969.tif 000003
【図３】
0004291969.tif 000004
【図４】
0004291969.tif 000005
【図５】
0004291969.tif 000006